(57)【要約】【課題】  真空断熱パネルをもちいた冷蔵庫において低消費電力量の冷蔵庫を提供することを目的とする。また、真空断熱材や凝縮パイプなどの変形などの少ない信頼性が高く、高性能の冷蔵庫を提供することを目的とする。また、可燃性冷媒を使用した場合も、ガス漏れなどの発生しない安全で信頼性の高い冷蔵庫を提供することを目的とするものである。【解決手段】  外箱と内箱間にウレタン断熱材を発泡充填することにより断熱箱体を構成し、断熱箱体内に冷媒用パイプを配設する冷蔵庫において、外箱内面に取付けられ、ウレタン断熱材中に埋設されるように配置される真空断熱パネルと、真空断熱パネルと外箱内面とが接触する部分の真空断熱パネルに冷媒用パイプの外径の１．２〜２倍程度の深さを有する溝部と、を設け、溝部に冷媒用パイプを配設した。【選択図】        図1
2005233506.tif 000002
【特許請求の範囲】
【請求項１】
外箱と内箱間にウレタン断熱材を発泡充填することにより断熱箱体を構成し、前記断熱箱体内に冷媒用パイプを配設する冷蔵庫において、前記外箱内面に取付けられ、前記ウレタン断熱材中に埋設されるように配置される真空断熱パネルと、前記真空断熱パネルと前記外箱内面とが接触する部分の前記真空断熱パネルに前記冷媒用パイプの外径の１．２〜２倍程度の深さを有する溝部と、を設け、前記溝部に前記冷媒用パイプを配設したこと特徴とする冷蔵庫。
【請求項２】
前記溝部は複数列で構成され、前記複数列の溝部に前記冷媒用パイプを複数列収納し、ウレタン断熱材を発泡充填させるようにしたことを特徴とする請求項１に記載の冷蔵庫
【請求項３】
前記真空断熱パネルに設ける複数列の溝部を前記真空断熱材の端面より、３０ｍｍ以上離れた位置に設けるようにしたこと特徴とする請求項１又は請求項２に記載の冷蔵庫。
【請求項４】
真空断熱パネルに設ける前記溝部の幅を、外箱に貼付けた冷媒用パイプの外径の１．２〜２倍程度にしたこと特徴とする請求項１乃至請求項３のいずれかに記載の冷蔵庫。
【請求項５】
外箱と内箱間にウレタン断熱材を注入するための注入口近傍の前記真空断熱材に設けられ、前記溝部に連通するウレタン注入用溝部を設けたこと特徴とする請求項１乃至請求項４のいずれかに記載の冷蔵庫。
【請求項６】
前記冷媒用パイプが配設される前記溝部上あるいは前記溝部間に設けられ、前記溝部にウレタン断熱材を導くための前記冷媒用パイプの外径と同等かあるいは前記冷媒用パイプの外径よりも大きな直径のウレタン用穴部を設けたこと特徴とする請求項１乃至請求項５のいずれかに記載の冷蔵庫。
【請求項７】
冷媒として可燃性冷媒を使用するようにしたことを特徴とする請求項１乃至請求項６のいずれかに記載の冷蔵庫。
【発明の詳細な説明】
【技術分野】
【０００１】
本発明は、真空断熱パネルを用いた冷蔵庫に関するものである。
【背景技術】
【０００２】
従来の冷蔵庫は外箱と内箱間にウレタン断熱材を発泡充填することにより断熱箱体を構成し、かつ外箱内面に取付けられ、ウレタン断熱材中に埋設された真空断熱パネルと、真空断熱パネルと外箱とが接触する部分の外周における外箱内面に取付けられた凝縮パイプとを備えている。
【０００３】
真空断熱パネルは、外箱内面に取付けられ、ウレタン断熱材中に埋設することにより、冷蔵庫庫内へ侵入する熱量を削減、あるいは断熱の壁厚を薄くし庫内容積もしくは冷蔵庫外形寸法を小さくすることができるとしている。（たとえば特許文献１参照）
【０００４】
また、真空断熱パネルの側面には、冷蔵庫の凝縮パイプが入り込み得る形状の凹部があらかじめ陥没状に形成されている。（たとえば特許文献２参照）
【０００５】
【特許文献１】特開平９−２６９１７７号公報
【特許文献２】特開昭６１−１６８７７２号公報
【発明の開示】
【発明が解決しようとする課題】
【０００６】
しかしながら、特許文献１に記載の従来の冷蔵庫では、冷蔵庫の外箱内面には、真空断熱パネルの縁部の外箱内側のみに凝縮パイプが取付けられているので、真空断熱パネルの設置部分に凝縮パイプを設置できず、ウレタン断熱材のみ使用した冷蔵庫に比べ、外箱内面に設置される部分の凝縮パイプの長さが短くなり冷蔵庫外部へ放出される凝縮熱量が減り、凝縮能力が低下し冷蔵庫の消費電力量を悪化させる問題点があった。
【０００７】
また、特許文献２に記載の従来の冷蔵庫の真空断熱パネルでは、凝縮パイプを設置する凹部の位置については何も考慮していないので、凝縮パイプを設置する凹部の位置と真空断熱パネルの縁部との距離が接近していると、真空断熱パネルの端面において断熱性能が著しく低下（ヒートブリッジ）を生じるため、凝縮パイプより放出される凝縮熱が真空断熱パネルの断熱性能の低下により冷蔵庫の庫内側へ侵入し、冷蔵庫の消費電力量を悪化させる問題点があった。
【０００８】
また、真空断熱パネルと凝縮パイプとの間とのすきまについても何の考慮も行っていないので、真空断熱パネルと凝縮パイプとの間に隙間がない場合には、冷蔵庫組立時にアルミテープ等によって凝縮パイプを外箱内面に貼り付ける際に、凝縮パイプが変形していた場合、真空断熱パネルの凹部形状と異なる形で外箱内面に取り付けられるので、真空断熱パネル設置時に真空断熱パネルの凹部に凝縮パイプがうまく配置されず、真空断熱パネルが凝縮パイプの上に乗り上げるなどの問題が発生していた。
【０００９】
真空断熱パネルが凝縮パイプ上に乗り上げると、真空断熱パネルが外箱内面より浮き上がり真空断熱パネルと外箱内面との間に多大の隙間が生じ、真空断熱パネルと外箱の接着剤等による固定が甘くなり、真空断熱パネルが外箱内面より剥がれたり、外箱内面より脱落を生じる問題があった。また、真空断熱パネルが外箱内面より浮き上がったことにより生じた隙間が真空断熱パネルと外箱内面の間に空気層を形成し冷蔵庫の断熱性能を低下させ冷蔵庫の消費電力量を悪化させる問題もあった。
【００１０】
さらに、真空断熱パネル設置時に真空断熱パネルが凝縮パイプの上に乗り上げた部分にて、真空断熱パネルを接着剤等にて所定の位置に固定する際に真空断熱パネルを外箱側に押さえつけたり、真空断熱パネルの自重によって真空断熱パネルが外箱側に押さえつけられたり、ウレタン発泡充填時のウレタンの発泡圧力によって真空断熱パネルが外箱側に押さえられたりすることで、真空断熱パネルが凝縮パイプを押し潰し、凝縮パイプが変形し冷媒の流れの抵抗となり圧縮機の負荷が増大し冷蔵庫の消費電力量を悪化させたり、凝縮パイプが押し潰されて冷媒が流れにくくなったり、あるいは凝縮パイプが押し潰された部分より凝縮パイプが割れを生じ冷媒漏れを生じる恐れがあり、可燃性冷媒を使用する場合には、引火による冷蔵庫故障の原因となっていた。また、真空断熱パネルが凝縮パイプの上に乗り上げた部分にて外箱を変形させ冷蔵庫外観に凹凸ができ、冷蔵庫外箱の外観を悪化させて意匠性が悪化するという問題も発生していた。
【００１１】
この発明は、係る従来の技術的課題を解決するためになされたもので、真空断熱パネルをもちいた冷蔵庫において低消費電力量の冷蔵庫を提供することを目的とする。また、真空断熱材や凝縮パイプなどの変形などの少ない信頼性が高く、高性能の冷蔵庫を提供することを目的とする。また、真空断熱材や凝縮パイプなどの変形などによる冷蔵庫外箱などの変形の起こらない意匠性の優れた冷蔵庫を提供することを目的とする。また、可燃性冷媒を使用した場合も、ガス漏れなどの発生しない安全で信頼性の高い冷蔵庫を提供することを目的とするものである。
【課題を解決するための手段】
【００１２】
この発明の冷蔵庫は、外箱と内箱間にウレタン断熱材を発泡充填することにより断熱箱体を構成し、断熱箱体内に冷媒用パイプを配設する冷蔵庫において、外箱内面に取付けられ、ウレタン断熱材中に埋設されるように配置される真空断熱パネルと、真空断熱パネルと外箱内面とが接触する部分の真空断熱パネルに冷媒用パイプの外径の１．２〜２倍程度の深さを有する溝部と、を設け、溝部に冷媒用パイプを配設したものである。
【発明の効果】
【００１３】
この発明の冷蔵庫は、凝縮能力を十分確保し、消費電力量の少ない省エネな冷蔵庫を提供することができる。
【発明を実施するための最良の形態】
【００１４】
実施の形態1．
この発明の実施の形態１について図１乃至図８の図面をもとに説明する。図１、図２は、この発明の実施の形態１を示す冷蔵庫の模式図である。図３は、この発明の実施の形態１を示す真空断熱パネルの模式図である。図４は、この発明の実施の形態１を示す真空断熱パネルの拡大模式図で、図３で○印で囲んだ部分の要部拡大図ある。図５は、この発明の実施の形態１を示す消費電力量と凝縮能力と関係図である。図６は、この発明の実施の形態１を示す断熱性能と真空断熱パネル端面からの距離と関係図である。図７、図８は、この発明の実施の形態１を示す冷蔵庫の模式図である。
【００１５】
図１において、１は冷蔵庫本体、２は冷蔵庫本体１の外郭を構成する外箱、３は冷蔵庫本体１の各貯蔵室（たとえば冷蔵室９、製氷室１０、切替室１１、野菜室１２、冷凍室１３など）を構成する内箱をそれぞれ示している。冷蔵庫本体１は、前面が開放された形状の鋼板である外箱２とＡＢＳ等の樹脂材料より成形された内箱３との間にウレタン断熱材４を発泡充填し、かつ各貯蔵室を仕切壁５、６、７、８によって区画し冷蔵庫上部より冷蔵室９、冷蔵庫上部に配置された冷蔵室９の下部に並列に配置された製氷室１０および切替室１１、並列に配置された製氷室１０と切替室１１の下部に野菜室１２、野菜室１２の下部に冷凍室１３が形成されている。
【００１６】
冷蔵庫本体１を構成する外箱２の側面のウレタン断熱材４側には冷媒用パイプ（たとえば凝縮パイプ１４）および真空断熱パネル１５が設けられている。凝縮パイプ１４は、アルミテープ等により外箱２に貼り付けられている。真空断熱パネル１５は、ホットメルト接着剤もしくは両面テープ等の固着手段により外箱２に貼り付けられている。なお、冷蔵室９の前面には右開き等の扉（図示せず）、製氷室１０、切替室１１、野菜室１２、冷凍室１３の前面には引出式等の扉（図示せず）が開閉可能に設けられている。
【００１７】
この真空断熱パネル１５は、例えば内側からポリエチレンもしくはポリプロピレン等からなる熱溶着層とアルミニウム層および表面保護層をラミネートした二枚のガスバリアフィルムの間にガラスウールもしくはシリカ等の微粉末を挿入し、所定の真空排気装置内において内部を真空とした後、ガスバリアフィルムの縁部を加熱して前記熱溶着層を相互に密着させ密封したものであり、全体として矩形板状をしている。
【００１８】
図２においては、３６は冷媒を圧縮する圧縮機、１７は凝縮パイプ１４とともに冷媒を凝縮するキャビネットパイプ、１８は冷媒を減圧する毛細管、１９は冷媒を蒸発させる冷却器、２０は冷媒を圧縮機３６に導く吸入パイプを表している。冷蔵庫本体１において、圧縮機３６より吐出された冷媒は、側面及び上面に配置された冷媒用パイプである凝縮パイプ１４、キャビネットパイプ１７によって凝縮され、膨張機構である毛細管１８にて減圧膨張し、冷却器１９で蒸発し、吸入パイプ２０を通って圧縮機３６へ吸入される冷凍サイクルを構成している。冷却器１９の近傍には冷気循環用ファン（図示せず）が設けられ、冷蔵庫本体１の庫内に冷気を送風している。
【００１９】
図３および図４において、２１は真空断熱パネル１５と外に凝縮パイプ１４を配設するための空間である溝部を表している。溝部２１は真空断熱パネル１５に凹部形状として設けられ、この溝部２１内に凝縮パイプ１４を収納配置して真空断熱パネル１５と外箱２との間に凝縮パイプ１４を挟み込むように構成している。ここで、溝部２１は真空断熱パネル１５の両側端の端部より３０ｍｍ以上はなれた所に複数列設けられている。
【００２０】
また、本実施の形態では、真空断熱パネル１５に溝部２１を設けて凝縮パイプ１４を溝部２１内に収納することによりウレタン発泡充填時に真空断熱パネル１５が凝縮パイプ１４を外箱２に押し付けるが、外箱２に凝縮パイプ１４の凹凸などの傷などをつけることを防止することができる。さらに、溝部２１の断面形状は矩形（図４（ａ））、円形（図４（ｂ））等でもよく、溝部２１の深さは、例えば凝縮パイプ１４の外径の１．２〜２．０倍程度（凝縮パイプの外径が４ｍｍ程度とすれば、溝部２１の深さは４．８ｍｍ〜８ｍｍ程度）とすることで、外箱２に凝縮パイプ１４の凹みなどの傷をつけることを防止することができる。さらに、溝部２１の深さは真空断熱材１５の厚さの７０％程度以下とすれば溝部２１がある部分の強度も確保でき、真空断熱材１５が溝部２１によって折れ曲がることなどがなくなり、信頼性の高い冷蔵庫が得られる。
【００２１】
図５は、冷蔵庫における凝縮能力（凝縮パイプ長）と消費電力量の関係を示している。図において、横軸は凝縮能力を表し、縦軸は消費電力量を表している。凝縮パイプは長いほど凝縮能力が増加し、消費電力量を低減させることができる。これにより、真空断熱パネル１５と外箱２との間に凝縮パイプ１４を設けず凝縮パイプ１４を短くして凝縮能力を低下させるよりも、真空断熱パネルに溝部２１を設けて溝部２１内に凝縮パイプ１４を収納し凝縮パイプ１４を長くした方が断熱性能もよくなり、凝縮能力を向上させることができ消費電力を低減できる。本実施の形態では、消費電力量が所定値以下となるように凝縮パイプ全長を決めるようにしており、凝縮パイプ全長が１８ｍ以上で消費電力量が規格値以下となることが分かる。
【００２２】
図６は、真空断熱パネル１５の端面から凝縮パイプ１４を配置する溝部２１までの距離と真空断熱パネル１５の断熱性能の関係を示している。図において、横軸は、真空断熱パネル１５の端面から溝部２１までの距離を表し、縦軸は断熱能力を表している。真空断熱パネル１５は、凝縮パイプ１４とパネル端面との距離が短いと凝縮パイプよりの熱が端面より逃げるヒートブリッジを起こすため、所定の断熱性能が保てず断熱性能が著しく低下（ヒートブリッジ）することがわかる。
【００２３】
本実施の形態では、凝縮パイプを配置する溝部のうちの真空断熱パネル端面に一番近い溝部と真空断熱パネル端面までの距離（図４参照）を所定の距離以上として、端面よりヒートブリッジして著しい断熱性能の低下が生じないようにいる。例えば本実施の形態では、断熱能力がヒートビリッジの影響のない場合の断熱能力の２倍程度、すなわち真空断熱パネルの断熱性能の低下を約１／２に抑えられるように端面から溝部までの所定距離を３０ｍｍ以上としている。したがって断熱性能の低下が問題とならい高性能で信頼性の高い冷蔵庫を得ることができる。ここで、真空断熱パネルの端面から溝部までの距離を７０ｍｍ以上とすれば、図６より断熱性能の低下がおこらず更なる高性能の冷蔵庫を得ることができる。
【００２４】
なお、溝部の形状は図４（ａ）や図４（ｂ）に示したように矩形や円形等でもよく、溝部深さは、例えば凝縮パイプの外径の１．２〜２倍程、外径φ４ｍｍであれば溝部深さ４．８ｍｍ〜８ｍｍ程度確保すればよく、溝部幅も、例えば凝縮パイプの外径の１．２〜２倍程、外径φ４ｍｍであれば溝部深さ４．８ｍｍ〜８ｍｍ程度確保すればよい。
【００２５】
図１〜図６では、真空断熱パネル１５は冷蔵庫本体１の側面に設けた例を示したが、図７、図８に示すように、真空断熱パネル１５と凝縮パイプ１４を冷蔵庫本体１の天井部（図７）、あるいは冷蔵庫本体１の背面部（図８）に設けていてもよい。
【００２６】
実施の形態２．
この発明の実施の形態２について、図９乃至図１２の図面をもとに説明する。図９は、この発明の実施の形態２を示す冷蔵庫ウレタン注入時の模式図である。また、図１０は、この発明の実施の形態２を示す真空断熱パネルの形状の模式図である。また、図１１は、この発明の実施の形態２を示す冷蔵庫ウレタン注入時の模式図である。また、図１２は、この発明の実施の形態２を示す冷蔵庫ウレタン注入時の模式図である。図において、図１〜図８と同等部分は、同一の符号を付して説明は省略する。
【００２７】
図９、図１０において、２２は外箱２と内箱３との間にウレタン断熱材４のウレタン原液を注入する注入ヘッド、２３は実施の形態１で説明した真空断熱パネル１５に設けられたウレタン原液が注入される注入方向に配設された複数のウレタン注入用溝部であり、注入される注入方向に向って一端側より他端側まで設けられており、冷媒用パイプである凝縮パイプ１４を収納する複数の溝部２１と連通しており、本実施の形態では略直交している。ウレタン原液注入方向と同じ向きにあるウレタン注入用溝部２３の一端側２３ａの近傍にウレタン原液を注入する注入ヘッド２２を配置している。ウレタン原液を注入する注入ヘッド２２より外箱２と内箱３との間のウレタン注入用溝部２３内にウレタン原液注入方向と同じ向きにある溝部２３ａよりウレタンを注入してウレタンを発泡充填する。注入ヘッド２２近傍に溝部２３ａを設けることにより、注入されたウレタンが溝部２３ａより進入し、凝縮パイプ１４を収納する溝部２１へ発泡充填され凝縮パイプ１４から冷蔵庫本体１の庫内への熱侵入を低減することができる。
【００２８】
なお、実施の形態１や図４で説明したように、溝部２１やウレタン注入用溝部２３の断面形状は矩形や円形等でもよく、また、溝部２１の深さは、例えば凝縮パイプ１４の外径の１．２〜２．０倍程度（凝縮パイプの外径が４ｍｍ程度とすれば、溝部２１の深さは４．８ｍｍ〜８ｍｍ程度）とすればよい。
【００２９】
また、図１１、図１２において、２４は実施の形態１で説明した真空断熱パネル１５に設けられたウレタン原液が注入される注入方向に配設された複数のウレタン注入用溝部であり、凝縮パイプ１４を収納する溝部１６と連通し、交差するように設けられ、ウレタンが注入される注入方向に向って一端側より他端側までウレタン注入方向に設けられており、凝縮パイプ１４を収納する複数の溝部２１と交差するごとに凝縮パイプ１４の収納溝１６の配設方向にウレタン注入用溝部２４はその位置をずらして配設されている。
【００３０】
すなわち、ウレタン注入用溝部２４ａを溝部１６ａまで設け、溝部１６ｂから溝部１６ｃまでの間のウレタン注入用溝部２４ｂはウレタン注入用溝部２４ａよりもその配設位置が溝部１６の配設方向にずれた位置に設けられている。同様に、ウレタン注入用溝部２４ｃはウレタン注入用溝部２４ｂよりも凝縮パイプ１４を収納する溝部１６（冷媒用パイプ１４）の配設方向にその配設位置がずれている。ウレタン注入用溝部２４は溝部１６（冷媒用パイプ１４）と交差（連通）するごとにその配設位置が溝部１６（冷媒用パイプ１４）方向に所定距離離れて配設されている。
【００３１】
したがって、注入ヘッド２２より真空断熱パネル１５の一端側のウレタン注入用溝部２４より注入されたウレタンがウレタン注入用溝部２４より進入し、溝部１６内へ発泡充填され、また、ウレタン注入用溝部２４の配設位置が溝部１６の配設方向にずれた位置に配置されているため、ウレタン注入用溝部２４に注入されたウレタンが溝部１６を通って充填されるため、溝部１６及びウレタン注入用溝部２４全域にウレタンを発泡充填することができ、ボイドの少ないウレタン断熱材４を形成でき凝縮パイプ１４から冷蔵庫１の庫内への熱侵入を低減することができる。
【００３２】
なお、溝部１６、２４の断面形状は実施の形態１や図４で説明したように矩形や円形等でもよく、また、溝部１６、２４の深さは、例えば凝縮パイプ１４の外径の１．２〜２．０倍程度（凝縮パイプの外径が４ｍｍ程度とすれば、溝部２１の深さは４．８ｍｍ〜８ｍｍ程度）とすればよい。
【００３３】
実施の形態３．
この発明の実施の形態３について、図１３乃至図１６をもとに説明する。図１３は、この発明の実施の形態３を示す冷蔵庫ウレタン注入時の模式図である。図１４はこの発明の実施の形態３を示す冷蔵庫ウレタン注入時の模式図である。図１５はこの発明の実施の形態３を示す冷蔵庫ウレタン注入時の模式図である。図１６はこの発明の実施の形態2を示す真空断熱パネルの形状の模式図である。図において、図１〜図１２と同等部分は同一の符号を付して説明は省略する。
【００３４】
図１３、図１４において、２５は実施の形態１で説明した真空断熱パネル１５に設けられた溝部１６上に少なくとも１箇所設けられたウレタン用穴部を示している。ウレタン原液を注入ヘッド２２より外箱２と内箱３との間に注入しウレタンを発泡充填すると、注入されたウレタンがウレタン用穴部２５より溝部１６内へ進入するので、溝部１６内で発泡充填され冷媒用パイプである凝縮パイプ１４から冷蔵庫１の庫内への熱侵入を低減することができ、また、ウレタンがウレタン用穴部２５より溝部１６へ直接流入するため溝部１６にボイドが発生することを抑えることができる。
【００３５】
また、図１５、図１６において、２６は実施の形態１で説明した真空断熱パネル１５に複数列設けられた溝部１６と溝部１６との間の真空断熱材中に設けられ、溝部１６に連通しているウレタン用穴部を示している。ウレタン原液を注入ヘッド２２より外箱２と内箱３との間に注入し、ウレタンを発泡充填すると、注入されたウレタンがウレタン用穴部２６より溝部１６へ進入し、凝縮パイプ１４を収納する溝部１６内で発泡充填するので、凝縮パイプ１４から冷蔵庫本体１の庫内への熱侵入を低減することができる。さらに、凝縮パイプ１４と穴部２６とが重なっていない（穴部２６が凝縮パイプ上に無い）ので、凝縮パイプ１４と内箱３との間にはウレタン用穴部２６が存在せず真空断熱パネル１５が配置されるため、凝縮パイプ１４から冷蔵庫１の庫内への熱侵入をさらに低減することができる。
【００３６】
真空断熱パネル１５に設けられた穴部２５、２６は、例えば内側からポリエチレンもしくはポリプロピレン等からなる熱溶着層とアルミニウム層および表面保護層をラミネートした二枚のガスバリアフィルムに穴をプレス加工等によって開け、ガスバリアフィルムの穴部の縁部を加熱して前記熱溶着層を相互に密着させた後に、ガラスウールもしくはシリカ等の微粉末を挿入し、所定の真空排気装置内において内部を真空とした後、ガスバリアフィルムの縁部を加熱して前記熱溶着層を相互に密着させ密封することにより製造される。真空断熱パネル１５に設けられた穴部は、矩形や円形等の形をしており、穴部開口面積が３６ｍｍ２以上であるとウレタンが溝部１６内に侵入しやすくボイドなどが発生せず高効率で信頼性が向上する。なお、上述した各実施の形態において、内部に連続気泡の発泡ポリウレタンを封入した真空断熱パネルでも差し支えない。
【００３７】
以上、実施の形態１〜３で説明したように、この発明の冷蔵庫は、外箱２と内箱３間にウレタン断熱材４を発泡充填することにより断熱箱体を構成し、断熱箱体内に冷媒用パイプ（凝縮用パイプなど）１４を配設する冷蔵庫において、外箱２内面に取付けられ、ウレタン断熱材４中に埋設されるように配置される真空断熱パネル１５と、真空断熱パネル１５と外箱２内面とが接触する部分の真空断熱パネル１５に冷媒用パイプ１４の外径の１．２〜２倍程度の深さを有する溝部１６、２１、２３、２４と、を設け、溝部１６、２１、２３、２４に冷媒用パイプ１４を配設したので、冷蔵庫外箱に凹凸のない意匠性の優れた冷蔵庫を提供できる。また、冷媒用パイプである凝縮パイプと溝部との間にウレタン断熱材が充分注入されるので、断熱性能の低下がおこらない省エネルギーな冷蔵庫が得られる。
【００３８】
また、この発明の冷蔵庫は、溝部は複数列で構成され、複数列の溝部に冷媒用パイプを複数列収納し、ウレタン断熱材を発泡充填させるようにしたので、凝縮能力を十分確保し、消費電力量の少ない省エネな冷蔵庫を提供することができる。特に消費電力量が所定値以下となるように凝縮パイプの全長を決めるようにしているので、消費電力量の小さい省エネルギーな冷蔵庫が得られる。
【００３９】
また、この発明の冷蔵庫は、真空断熱パネルに設ける複数列の溝部を真空断熱材の端面より３０ｍｍ以上離れた位置に設けるようにしたので、真空断熱パネルのヒートブリッジにより断熱性能低下し庫内へ無駄に熱が進入すること抑制し消費電力量の少ない省エネルギーな冷蔵庫を提供することができる。また、真空断熱パネルに設ける複数列の溝部を真空断熱材の端面より７０ｍｍ以上離れた位置に設けるようにすれば、更なる断熱性能の低下の無い高性能で省エネルギーな冷蔵庫が得られる。
【００４０】
また、この発明の冷蔵庫は、真空断熱パネルに設ける溝部の幅を、外箱に貼付けた冷媒用パイプの外径の１．２〜２倍程度にしたので、ウレタン断熱材が充分に溝部内に行き渡り断熱性能の良い省エネルギーな冷蔵庫が得られる。
【００４１】
また、この発明の冷蔵庫は、外箱と内箱間にウレタン断熱材を注入するための注入口近傍の真空断熱材に設けられ、溝部に連通するウレタン注入用溝部を設けたので、ウレタン断熱材が凝縮パイプの設けられた真空断熱パネルの溝部に注入され、凝縮パイプから庫内へ無駄に熱が進入すること防いだ消費電力量の少ない省エネな冷蔵庫を提供することができる。
【００４２】
また、ウレタン注入用溝部２４は溝部１６（冷媒用パイプ１４）と交差（連通）するごとにその配設位置が溝部１６（冷媒用パイプ１４）方向に所定距離離れて配設されているので、ウレタン注入用溝部２４に注入されたウレタンが溝部１６を通って充填されるため、溝部１６及びウレタン注入用溝部２４全域にウレタンを発泡充填することができ、ボイドの少ないウレタン断熱材４を形成でき凝縮パイプ１４から冷蔵庫１の庫内への熱侵入を低減することができる。
【００４３】
また、この発明の冷蔵庫は、冷媒用パイプが配設される溝部上あるいは溝部間に設けられ、溝部にウレタン断熱材を導くための冷媒用パイプの外径と同等かあるいは冷媒用パイプの外径よりも大きな直径のウレタン用穴部を設けたので、ウレタン断熱材がウレタン用穴部を介して凝縮パイプの設けられた真空断熱パネルの溝部に導かれて注入され、凝縮パイプから庫内へ無駄に熱が進入すること防いだ消費電力量の少ない省エネルギーな冷蔵庫を提供することができる。
【００４４】
また、この発明の冷蔵庫は、冷媒として炭化水素などの可燃性冷媒を使用するようにしても、凝縮パイプなどの冷媒用パイプが押しつぶされることなどがなく、冷媒用パイプに変形や破損などが起こらないので、ガス漏れなどの発生しない安全で信頼性の高い冷蔵庫を提供することができる。
【図面の簡単な説明】
【００４５】
【図１】この発明の実施の形態１を示す冷蔵庫の模式図である。
【図２】この発明の実施の形態１を示す冷蔵庫冷媒回路の模式図である。
【図３】この発明の実施の形態１を示す真空断熱パネルの模式図である。
【図４】この発明の実施の形態１を示す真空断熱パネルの拡大模式図である。
【図５】この発明の実施の形態１を示す消費電力量と凝縮能力と関係図である。
【図６】この発明の実施の形態１を示す断熱性能と真空断熱パネル端面からの距離と関係図である。
【図７】この発明の実施の形態１を示す冷蔵庫の模式図である。
【図８】この発明の実施の形態１を示す冷蔵庫の模式図である。
【図９】この発明の実施の形態２を示す冷蔵庫ウレタン注入時の模式図である。
【図１０】この発明の実施の形態２を示す真空断熱パネルの形状の模式図である。
【図１１】この発明の実施の形態２を示す冷蔵庫ウレタン注入時の模式図である。
【図１２】この発明の実施の形態２を示す冷蔵庫ウレタン注入時の模式図である。
【図１３】この発明の実施の形態３を示す冷蔵庫ウレタン注入時の模式図である。
【図１４】この発明の実施の形態３を示す冷蔵庫ウレタン注入時の模式図である。
【図１５】この発明の実施の形態３を示す冷蔵庫ウレタン注入時の模式図である。
【図１６】この発明の実施の形態３を示す真空断熱パネルの形状の模式図である。
【符号の説明】
【００４６】
１  冷蔵庫本体、２  外箱、３  内箱、４  ウレタン断熱材、５、６、７、８  仕切り壁、９  冷蔵室、１０  製氷室、１１  切替室、１２  野菜室、１３  冷凍室、１４  冷媒用パイプ、１５  真空断熱パネル、１６  真空断熱パネルの溝部、１７  キャビネットパイプ、１８  毛細管、１９  冷却器、２０  吸入パイプ、２１  真空断熱パネルの溝部、２２  ウレタン原液注入ヘッド、２３、２４  真空断熱パネルの溝部、２５、２６  真空断熱パネルの穴部、３６  圧縮機。
【図１】
2005233506.tif 000003
【図２】
2005233506.tif 000004
【図３】
2005233506.tif 000005
【図４】
2005233506.tif 000006
【図５】
2005233506.tif 000007
【図６】
2005233506.tif 000008
【図７】
2005233506.tif 000009
【図８】
2005233506.tif 000010
【図９】
2005233506.tif 000011
【図１０】
2005233506.tif 000012
【図１１】
2005233506.tif 000013
【図１２】
2005233506.tif 000014
【図１３】
2005233506.tif 000015
【図１４】
2005233506.tif 000016
【図１５】
2005233506.tif 000017
【図１６】
2005233506.tif 000018